(57)【特許請求の範囲】
【請求項１】
打球供給皿の皿部の下流端位置に開設された上部通孔から導き出したパチンコ球を１個ずつ発射レールの発射部に供給する打球供給装置を設けたパチンコ機において、
前記打球供給装置は、前記打球供給皿の上部通孔に合致する流入口と、前記流入口と連通して形成した誘導路と、前記発射レールの発射部位置に対応する供給口と、前記誘導路に導かれた先頭のパチンコ球を上面で受けて落下を阻止する球止部と上方回動時に前記球止部の支持から外れて落下するパチンコ球を受け入れると共に下方回動時に受け入れられたパチンコ球を前記供給口から前記発射部へ送り出す球受部とから構成されたフリッカー部材とを備え、
前記誘導路の終端部分の側面には、球抜口を開設すると共に該球抜口と連通する球抜通路を設け、
さらに、一端側を前記誘導路内に出入りする押片部とし他端側は前記球抜口を開閉する側片部とした可動部材を配設し、
前記可動部材は、常態では付勢されて前記側片部が前記球抜口を閉じるように位置すると共に前記押片部が前記誘導路から離れるようになっており、球抜操作時には付勢に抗して前記側片部が球抜口を開放する位置に移動すると共に前記押片部が前記誘導路に入り込み前記フリッカー部材の球止部上面で受け止められて待機する最先のパチンコ球を前記球抜口へ押出して前記球抜通路に球抜きするように構成したことを特徴とするパチンコ機。
【発明の詳細な説明】
【０００１】
【発明の属する技術分野】
本発明は、打球供給皿のパチンコ球を１個ずつ発射レールの発射部に供給する打球供給装置を設けてなるパチンコ機に関し、特に、打球供給皿のパチンコ球を球抜きする際に打球供給装置内にパチンコ球が残らないようにすることができるようなパチンコ機に関するものである。
【０００２】
【従来の技術】
従来のパチンコ機においては、前面枠の前面側に打球供給皿と下部貯留皿とを設け、打球供給皿のパチンコ球を前面枠の裏面側に設けられた打球供給装置に導いて１個ずつ発射レールの発射部に供給するようにされている。一方、打球供給皿の底部には球抜口が設けられると共に、該球抜口にスライド板が配置されており、該スライド板を移動させて球抜口を解放することにより打球供給皿のパチンコ球を下部貯留皿に抜き取ることができるようになっている。
【０００３】
【発明が解決しようとする課題】
ところで、上記したパチンコ機にあっては、打球供給皿のパチンコ球を底部の球抜口から直接に下部貯留皿へ抜き出すようにしているため、打球供給装置に導かれたパチンコ球は抜き取られないでそのまま残されてしまうという問題点があった。そして、打球供給装置内に残されたパチンコ球を抜き取るためには、例えばその残されたパチンコ球を遊技盤面に打ち込まないように弱い弾発力で発射して発射レールのファール口から下部貯留皿に戻して回収する等遊技者に面倒な操作を行わせる必要があった。
【０００４】
そこで本発明は、打球供給皿のパチンコ球を打球供給装置の中に１個も残さずに球抜きができるパチンコ機を提供することを目的としている。
【０００５】
【課題を解決するための手段】
上記目的を達成するために、本発明にかかるパチンコ機は、打球供給皿から導き出したパチンコ球を一個ずつ発射レールの発射部に供給する打球供給装置を設けたパチンコ機において、前記打球供給装置は、打球供給皿の上部通孔に合致する流入口に連通して形成した誘導路と、発射レールの発射部位置に対応する供給口と、回動によりパチンコ球を一個ずつ供給するフリッカー部材とを備え、前記誘導路の終端部分の側面に球抜口を開設すると共に該球抜口と連通する球抜通路を設け、常には付勢されて誘導路から離れる押片部を設けた可動部材を配設し、球抜操作により前記押片部が誘導路に入り込んでフリッカー部材で受け止められて待機する最先のパチンコ球を球抜口へ押出し球抜通路に球抜きするように構成した。
【０００６】
一方、前記打球供給装置は、誘導路と発射レールの発射部に対応する供給口と上下方向に回動するフリッカー部材とを備える。このフリッカー部材は下方に回動されたとき流入部から流入するパチンコ球を上面で受け止めて待機させる球止部から落下するパチンコ球を受け入れて保持し、かつ下方に回動されたときそのパチンコ球を発射レールの発射部に供給する球受部とを一体に有する。このため、打球供給皿のパチンコ球は整流部を流下してその最先端部のパチンコ球が流入部からフリッカー部材の球止部上面に流入し、該球止部上面で受け止められて待機する。そして、この状態で打球杆の発射動作に関連してフリッカー部材が上下に回動することによって球止部上面で受け止められるパチンコ球が１個ずつ発射レールの発射部に供給される。
【０００７】
また、前記可動部材には、球抜口を開放する位置でフリッカー部材の球止部上面で受け止められて待機するパチンコ球を球抜口から落下させる押片部を設けている。このため、球抜き操作によって可動部材を付勢に抗して球抜口を開放する位置に移動させると、フリッカー部材の球止部の球止部上面で受け止められて待機しているパチンコ球は、可動部材の押片部によって流入部から球抜口に押し出されて球抜通路から回収されることになる。
【０００８】
【発明の実施の形態】
本発明の実施の形態を図面に基づいて説明する。図１は本発明に係るパチンコ機の正面図、図２はガラス枠及び前面枠を解放して示すパチンコ機の下部部分の斜視図を示し、１はパチンコ機の前面枠、２は前面枠１の後面に着脱自在に装着された遊技盤であって、該遊技盤２の右下側に発射レール３が装着されている。４は発射レール３の発射部５に先端が臨む打球杆、６は発射レール３の前面を覆う前面板であって、遊技盤２の上方部を覆うガラス扉枠７と共に前面枠１の一側に開閉自在に装着されている。前記前面板６の表面には打球供給皿８が設けられている。また、前面枠１の下部前面には打球供給皿８の余剰球を貯留する下部貯留皿９と操作ハンドル１０が設けられている。
【０００９】
前記打球供給皿８は、図３に示すように、本体部１１と該本体部１１の前面外側を覆うカバー部材１２とから構成されている。本体部１１はパチンコ球を貯留する皿部１３と該皿部１３の上縁部分を囲う飾板部１４及び皿部１３の下方に延出する側板部１５とを有する。前記皿部１３は底部が一方に緩やかに下り傾斜しその傾斜下部にパチンコ球が一列に整列する整流部１６が形成されており、該整流部１６の下流終端は開口して側板まで達しておらず、該整流部１６の下流端が位置する前面板６には皿部１３のパチンコ球を前面板６の裏側に流出させる上部通孔１７が開設されている。また、前面板６には図３に示すように側板部１５に形成され前記整流部１６の下流端開口と連通した球抜通路１８に連通する下部通孔１９が開設されている。
【００１０】
一方、前面板６の裏面には前記上部通孔１７と連通状に打球供給装置２０が配設される。前記打球供給装置２０は図４に示すように通路構成枠２１およびフリッカー部材２６とを備える。この通路構成枠２１は、図４乃至図６に示すように、前面板６に開設された上部通孔１７に合致する流入口２２が設けられた板状体２３ａと、前面が開口して前記流入口２２と連通するパチンコ球の直径と略同等の垂直な誘導路２４を形成した中空状の箱状体２３ｂとに二分割して形成し、これら板状体２３ａと箱状体２３ｂとを互いに合体してビス止めすることにより一体化される。また、箱状体２３ｂの前面には発射レール３の発射部５に対応する供給口２５が形成されている。
【００１１】
前記フリッカー部材２６は、図４に示すように両側部に発射レール３と平行な回動支軸２７，２７が一体に突設されており、該回動支軸２７，２７を前記供給口２５に形成された軸受凹部２８，２８に嵌めて上下に回動自在に支持され、かつ自然状態では図６（イ）実線のように下方に回動するように重心が置かれている。
【００１２】
前記フリッカー部材２６は、図６（イ）に示す下向き回動時、流入口２２から誘導路２４に導かれた先頭のパチンコ球Ｂを上面に受けて落下を阻止する球止部２９と、図６（ロ）に示す上向き回動時に前記球止部２９の支持から外れ誘導路２４から落下するパチンコ球Ｂを受け入れて保持し、且つ下方へ回動することにより前記受入れたパチンコ球Ｂを供給口２５から発射レール３の発射部５へ送り出す半円状の球受部３０と、前記回動支持軸２７，２７と平行であり且つ通路構成枠２１の外方へ突出する係合ピン３１とを一体に有して構成される。
【００１３】
なお、前記係合ピン３１は、図５に示すように、発射レール３の下方であり、且つ遊技盤２の前面側に軸３２で回動自在に軸支された連動バー３３の押上部３４に当接可能なようになっている。また、連動レバー３３は押上部３４の一端から下方に垂下するレバー部３５を一体に備え、このレバー部３５が打球杆４に固着された引掛杆３６と係合可能なように位置されている。
【００１４】
前記通路構成枠２１には、図４に示すように、板状体２３ａに流入口２２へ連通する切欠部３７ａ（図４の右側）及び一文字状のガイド孔３７ｂ（図４の左側）が設けられ、箱状体２３ｂの誘導路２４の一方の側面に前記切欠部３７ａと合致して開設する球抜口３８を設け、他方の側面には前記ガイド孔３７ｂに合致して前記誘導路２４と連通する中空のガイド溝３８ｂを設けている。また、前記球抜口３８には該球抜口３８から落下するパチンコ球を受ける通路樋３９が連結され、該通路樋３９の下流端は前記下部通口１９を介して前記球抜通路１８に連通している。
【００１５】
また、打球供給皿８の側板部１５に形成された箱状のガイド部４２に可動部材４０が左右方向へ往復移動自在に支持されている。この可動部材４０は、図３に示すように複雑な形状をしており、前記ガイド部４２に支持される摺動軸部４０ａの一方端に前記球抜口３８を開閉する側片部４１を突設すると共に他端に誘導路２４内に出入り自由な押片部４４が一体に設けられている。そして、前面板６に前記板状体２３ａの切欠部３７ａとガイド孔３７ｂに合体するように一条のガイド長孔４３を開設し、可動部材４０の側片部４１および押片部４４を前記ガイド長孔４３から箱状体２３ｂの誘導路２４の側面に開設する球抜口３８および箱状体２３ｂのガイド溝３８ｂに臨ませている。
【００１６】
前記可動部材４０は、図７（イ）に示すように、側片部４１が球抜口３８を閉じる位置にいるときには押片部４４が打球供給装置２０の側方に位置し、図７（ロ）に示すように、側片部４１が球抜口３８を解放する位置に移動すると、押片部４４は誘導路２４内に突入してフリッカー部材２６の球止部２９上面に待機するパチンコ球Ｂを誘導路２４から球抜口３８へ押し出して通路樋３９へ落下させるようになっている。
【００１７】
一方、打球供給皿８の側板部１５の前面には、図３及び図９に示すように、レバー部材４５が軸４６により揺動自在に軸支され、該レバー部材４５には長孔４７が穿設されて該長孔４７に可動部材４０の前側面に突設した突起４８を臨ませている。また、レバー部材４５にはコイルばね４９が連結されており、常に可動部材４０を図９実線のように側片部４１で球抜口３８を閉じる位置に付勢している。前記操作ボタン５０はレバー部材４５の上部に横向きに突設する頭部５１に互いの基端側で軸５０ａに枢着し、打球供給皿８の板状部１４に開設した透孔５２から上方に突き出させて設置し、該操作ボタン５０の自由端側を押圧することにより可動部材４０が球抜口３８を解放する位置に移動させることができるようになっている。
【００１８】
次に、このように構成したパチンコ機の作用を説明する。打球供給皿８に貯留されるパチンコ球は図６（イ），（ロ）に示すように整流部１６によって一列に整流されながらスライド板４０の上面を経由して前面板６の上部通孔１７から流入口２２を経て通路構成枠２１内の誘導路２４に流入する。そして、図５，図６（イ）及び図８に示すように、誘導路２４の最先端部のパチンコ球Ｂはフリッカー部材２６の球止部２９上面で受け止められて待機する。
【００１９】
この状態で打球杆４が図５鎖線のように発射準備位置に回動されると引掛杆３６によって連動レバー３３のレバー部３５が引寄せられて該連動レバー３３が軸３２を支点として上方へ回動し、これの押上部３４がフリッカー部材２６の係合ピン３１を上方へ押し上げる。このため、フリッカー部材２６が回動支軸２７，２７を支点として図６（ロ）のように上方へ回動してフリッカー部材２６の球止部２９上面で待機していたパチンコ球Ｂは下方へ落下して球受部４０に受け入れられる。そして、打球杆４が図５実線のように発射動作位置に回動するとフリッカー部材２６は連動レバー３３による係合ピン３１が押し上げ解除されて自重とパチンコ球Ｂの重量で図６（ロ）鎖線のように下方に回動し、球受部３０のパチンコ球Ｂを供給口２５から発射レール３の発射部５に送り出す。同時に後続する誘導路２４の最先端部のパチンコ球Ｂ1 をフリッカー部材２６の球止部２９上面で受け止めて待機させる。その後は打球杆４の往復回動毎に誘導路２４の最先端部のパチンコ球が一個ずつ確実に発射レール３の発射部５に供給される。
【００２０】
しかして、打球供給皿８から打球供給装置２０に導かれたパチンコ球を下部貯留皿９へ抜き取るには、操作ボタン５０の自由端側を図９鎖線のように押圧してレバー部材４５をコイルばね４９の付勢に抗して回動させる。これによって、可動部材４０がレバー部材４５の長孔４７に係合する突起４８を介して同図矢印方向に移動し図７（ロ）に示すように球抜口３８を解放すると共に、可動部材４０の押片部４４が誘導路２４に入り込むことによってフリッカー部材２６の球止部２９上面に残されているパチンコ球Ｂは、誘導路２４から球抜口３８に押されて通路樋３９に落下し、前面板６の下部通孔１９を経て球抜通路１８に流出し、さらに前面板６に開設した流出口５３から遊技盤２前面のシュート５４を通って下部貯留皿９に排出される。また、打球供給皿８内のパチンコ球も球抜通路１８から下部貯留皿９に排出される。
【００２１】
そして、打球供給皿８内のパチンコ球を下部貯留皿８に抜き取った後、操作ボタン５０の押圧を解除すると、コイルばね４９の付勢によってレバー部材４５が図９実線の元の状態に復帰し、同時に可動部材４０も図７（イ）に示す位置に移動して球抜口３８を閉じ、押圧片４４は誘導路２４から離れてガイド溝３８ｂへ戻る。
【００２２】
【発明の効果】
本発明は上記のような構成であるから、打球供給装置に導かれフリッカー部材で受け止められて待機する最先のパチンコ球は、球抜操作により可動部材を移動させて押片部で球抜口へ押し出されることにより球抜通路に抜き取られ、打球供給装置にパチンコ球を一球も残さずに全てのパチンコ球を下部貯留皿へ排出することができる。
【００２３】
従って、本発明において打球供給皿のパチンコ球を抜き取った後には打球供給装置内にはパチンコ球が残留することがないので、従来パチンコ機のように打球供給装置内に残留するパチンコ球を下部貯留皿に回収するための面倒な操作を不要とすることができ、遊技者のサービス向上を図れる利点がある。
【図面の簡単な説明】
【図１】本発明にかかるパチンコ機の正面図である。
【図２】ガラス枠及び前面板を解放した状態を示すパチンコ機の下部斜視図である。
【図３】打球供給皿の分解斜視図である。
【図４】通路構成枠の分解斜視図である。
【図５】通路構成枠部分の断面正面図である。
【図６】打球供給装置の作用を説明する断面側面図で、（イ）はフリッカーが下向回動した状態を示し、（ロ）はフリッカーが上向きに回動した状態の断面図である。
【図７】打球供給装置の断面図で、（イ）は球抜口を閉鎖して示し、（ロ）は球抜口を解放した状態を示す断面図である。
【図８】球抜口と下部貯留皿との関連構成を示す要部の断面側面図である。
【図９】球抜き操作部部分を組み立てて示す要部正面図である。
【符号の説明】
１          前面枠
３          発射レール
４          打球杆
５          発射部
８          打球供給皿
９          下部貯留皿
１７        上部通孔
１８        球抜通路
２０        打球供給装置
２２        流入口
２４        誘導路
２５        供給口
２６        フリッカー部材
２９        球止部
３０        球受部
３８        球抜口
４０        可動部材
４１        側片部
４４        押片部
【図１】
0003869732.tif 000002
【図２】
0003869732.tif 000003
【図３】
0003869732.tif 000004
【図４】
0003869732.tif 000005
【図５】
0003869732.tif 000006
【図６】
0003869732.tif 000007
【図７】
0003869732.tif 000008
【図８】
0003869732.tif 000009
【図９】
0003869732.tif 000010